(57)【要約】【課題】地震発生または停電時に、部屋全体を照明するとともに避難する際には避難者が任意の方向、場所を照明可能な点灯ユニットを備える照明器具を提供すること。【解決手段】照明器具は、第１の光源を有する器具本体に感震センサと該感震センサの動作により点灯する第２の光源を有する点灯ユニットと、この点灯ユニットの少なくとも第２の光源及び第２の光源の点灯手段を器具本体より昇降させる昇降装置とを設けることにより部屋全体を照明するとともに、避難する際には避難者が任意の方向、場所を照明できる。【選択図】図１
2007287500.tif 000002
【特許請求の範囲】
【請求項１】
第１の光源を有する器具本体と;
感震センサと該感震センサの動作により点灯する第２の光源とを有する点灯ユニットと;
該点灯ユニットの少なくとも第２の光源及び、第２の光源の点灯手段を前記器具本体より昇降させる昇降装置と；
を具備することを特徴とする照明器具。
【請求項２】
前記感震センサの感震検知により、前記昇降装置を駆動させる制御部を具備することを特徴とする請求項１記載の照明器具。
【請求項３】
前記点灯ユニットは、商用電源の遮断時にも第２の光源が点灯するようになっているとともに、前記制御部は商用電源の遮断を検出すると、前記昇降装置を駆動させるようになっていることを特徴とする請求項１または２いずれか記載の照明器具。
【請求項４】
前記点灯ユニットに内蔵され、常時は商用電源から充電されて前記第２の光源の電源として機能する二次電池を具備することを特徴とする請求項１乃至３いずれか記載の照明器具。
【請求項５】
前記点灯ユニットと前記昇降装置とを着脱可能な着脱機構を具備することを特徴とする請求項１乃至４いずれか記載の照明器具。
【請求項６】
前記点灯ユニットは、感震センサの動作又は商用電源の遮断時に下降する点灯ユニット部分を、器具本体側から照射する補助光源部を有することを特徴とする請求項１乃至５いずれか記載の照明器具。
【発明の詳細な説明】
【技術分野】
【０００１】
本発明は、照明器具に関する。
【背景技術】
【０００２】
従来から、感震センサ、補助光源、二次電池などを有する点灯ユニットを備え、感震センサが地震の振動を検知したとき及び地震や台風などにより停電が発生したときに補助光源を点灯させるようにした照明器具が知られている。
【０００３】
このような照明器具は、一般家屋の天井に直に設置されたもの、または主光源として用いられる照明器具に内蔵されているものが知られている（例えば、特許文献１参照）。
【特許文献１】特開平８‐２２８４４２号公報
【発明の開示】
【発明が解決しようとする課題】
【０００４】
しかし、前記の照明器具においては、補助光源が天井や照明器具に固定されているため照明する範囲が限られてしまうという問題があった。
【０００５】
夜間に震度の大きな地震が発生した際には部屋全体を照明することは安全を確認する上で重要だが、避難するときには部屋全体を照明することよりも避難者の避難方向や足元をより明るく照明することが重要になる。
避難方向は家屋の形状、避難者の立ち位置などにより常に異なる。
そこで、避難者が避難方向や足元を任意に照明可能な照明器具が望まれている。
【０００６】
本発明は、かかる従来の問題を解消すべくなされたもので、部屋全体を照明するとともに避難する際には避難者が任意の方向、場所を照明可能な点灯ユニットを備える照明器具を提供することを目的とする。
【課題を解決するための手段】
【０００７】
上記の問題を解決するため、請求項１記載の発明は、第１の光源を有する器具本体と;感震センサと該感震センサの動作により点灯する第２の光源とを有する点灯ユニットと;該点灯ユニットの少なくとも第２の光源及び、第２の光源の点灯手段を前記器具本体より昇降させる昇降装置と；を具備することを特徴とする。
【０００８】
器具本体に取付けられる第１の光源は、特に限定されず、蛍光ランプ、水銀灯、ハロゲンランプ、ＬＥＤなど任意のものが適用可能である。同様に第２の光源も特に限定されるものではないが、例えば一般的な豆球やＬＥＤが使用可能である。
【０００９】
感震センサは、特に限定されるものではないが、例えば圧電素子などを用いることができる。
【００１０】
点灯ユニットは、感震時の非常灯として使用できるが、常時は第１の光源の補助光源としたり、常夜灯としても使用できる。
点灯ユニットの設置場所は、器具本体の中央部とすることが望ましいが第１の光源の形状などにより器具本体の所定の場所に設置することもできる。
【００１１】
昇降装置は点灯ユニットを使用者の手の届く位置まで降下させる、あるいは降下させた点灯ユニットを上昇させ器具本体の所定の場所へ収納させる装置をいい、例えば点灯ユニットを吊り下げ部材の先端に取付け、モータの駆動で吊り下げ部材を上げ下げさせるような装置である。
【００１２】
なお、「使用者の手の届く位置」は、小さな子供でも手が届く位置が望ましいが、特に限定されるものではなく、第２の光源が点灯可能な状態で下降してくるものである。
【００１３】
また、点灯ユニットの降下位置や降下速度は、例えばリモコンを用いて使用者が任意に変更、設定できるようにすることができる。
【００１４】
請求項２記載の発明は、請求項１記載の照明器具において、前記感震センサの感震検知により、前記昇降装置を駆動させる制御部を具備することを特徴とする。制御部を有することにより感震検知時に瞬時に昇降装置を駆動させることもできるし、一定の地震以下では昇降装置を駆動させないこともできる。
【００１５】
一定の地震以下で昇降装置を駆動させない方法としては上記した点灯ユニットの降下位置や降下速度の変更、設定と同様にリモコンなどを用いることができる。
【００１６】
制御部の設置位置は限定されるものではなく例えば器具本体や点灯ユニットなどの所定個所に内蔵させることができる。
【００１７】
請求項３記載の発明は、請求項１または２いずれか記載の照明器具において、前記点灯ユニットは、商用電源の遮断時にも第２の光源が点灯するようになっているとともに、前記制御部は商用電源の遮断を検出すると、前記昇降装置を駆動させるようになっていることを特徴とする。
【００１８】
地震またはその他の理由により商用電源からの電力供給が遮断された場合でも第２の光源が点灯され、昇降装置を駆動させるようにすることが望ましい。
【００１９】
請求項４記載の発明は、請求項１乃至３いずれか記載の照明器具において、前記点灯ユニットに内蔵され、常時は商用電源から充電されて前記第２の光源の電源として機能する二次電池を具備することを特徴とする。
【００２０】
地震またはその他の理由により停電した場合に備え、第２の光源を点灯させるための電源として点灯ユニットには二次電池が内蔵されていることが望ましい。
二次電池は、化学電池に限らず主電源で充電される二次電池として機能するキャパシターなども含まれる。
【００２１】
請求項５記載の発明は、請求項１乃至４いずれか１項に記載の照明器具において、前記点灯ユニットと、前記昇降装置とを着脱可能な着脱機構を具備している。
【００２２】
着脱機構としては例えば前記点灯ユニット及び前記昇降装置との取付け部それぞれに磁石などの磁性体とこの磁性体が吸着するような金属を用いそれぞれを固定するものなどである。
【００２３】
点灯ユニットの所定個所に照明の入切りスイッチを設けることができ、昇降装置より取外して持運びする際に必要に応じて点灯ユニットの点灯、消灯を行える。これにより点灯ユニット内の二次電池を節約して使用できる。
【００２４】
請求項６記載の発明は、請求項１乃至５いずれか１項に記載の照明器具において、前記点灯ユニットは、感震センサの動作又は商用電源の遮断時に下降する点灯ユニット部分を、器具本体側から照射する補助光源部を有することを特徴とする。
【００２５】
器具本体側から照射する補助光源部としては、特に限定されるものではないが、点灯ユニットと同様に、例えば一般的な豆球やＬＥＤが使用可能である。
【００２６】
本発明の照明器具は、一般家庭の屋内照明が適しているが、ビルなどの屋内照明についても同様に適用することが可能である。
【発明の効果】
【００２７】
請求項１記載の発明によれば、第１の光源を有する器具本体に感震センサと、この感震センサの動作により点灯する第２の光源とを有する点灯ユニットと、この点灯ユニットの少なくとも第２の光源及び、第２の光源の点灯手段を器具本体より昇降させる昇降装置とを備えることで、避難者が点灯ユニットを手に持つ事ができ、避難者が照らしたい任意の場所を照明することができる。
【００２８】
請求項２記載の発明によれば、感震センサの感震検知により、昇降装置を駆動させる制御部を備えることで、感震検知直後に点灯ユニットを器具本体より降下させたり、使用者の任意の設定により一定以上の地震でなければ点灯ユニットを降下させないようにすることができる。
【００２９】
請求項３記載の発明によれば、点灯ユニットは、商用電源の遮断時にも第２の光源が点灯され、制御部は商用電源の遮断を検出すると、昇降装置を駆動させるようになっているので地震またはその他の理由により商用電源からの電力供給が遮断された場合でも点灯ユニットを点灯、降下させることができる。
【００３０】
請求項４記載の発明によれば、点灯ユニットに内蔵され、常時は商用電源から充電されて前記第２の光源の電源として機能する二次電池を備えることによって、停電時でも点灯ユニットを点灯させることができる。
【００３１】
請求項５記載の発明によれば、点灯ユニットと、昇降装置とを着脱可能な着脱機構を備えることで、避難の際に、点灯ユニットを独立した光源として持ち運び、手元を照らすことができる。
【００３２】
請求項６記載の発明によれば、点灯ユニットは、感震センサの動作又は商用電源の遮断時に下降する点灯ユニット部分を、器具本体側から照射する補助光源部を有することで、避難者が下降する点灯ユニットに誤ってぶつかってしまうなどの事故を防止できる。また、点灯ユニットを独立した光源として持ち運ぶ際の点灯ユニットと、昇降装置との着脱作業を円滑におこなうことができる。
【発明を実施するための最良の形態】
【００３３】
以下、本発明の実施の形態を図面を参照して詳細に説明する。
図１は本発明の第１実施例の照明器具の分解斜視図である。図２は図１の照明器具を一部透視して示す平面図である。図３は第１実施例のＬＥＤ点灯ユニットを下方より見た斜視図である。図４は第１実施例のＬＥＤ点灯ユニットの内部構成を示すブロック図である。図５はリモコンの一例を示す平面図である。図６は第１実施例のＬＥＤ点灯ユニット降下時の状態を一部透視して示す平面図である。図７は第２実施例のＬＥＤ点灯ユニットを下方より見た斜視図である。図８は第２実施例のＬＥＤ点灯ユニットの降下時の状態を下方より見た斜視図である。図９は第２実施例のＬＥＤ点灯ユニットの内部構成を示すブロック図である。
【００３４】
〔第１実施例〕
図１及び図２に示すように、この第１実施例の照明器具１は、器具本体２、第１の光源としての蛍光ランプ３、第２の光源としての発光ダイオード（以下ＬＥＤと略す）ＬＥＤを備えたＬＥＤ点灯ユニット４及びセード５及びリモコン２０を有する照明器具である。照明器具１は、アダプタ６を介して引掛けシーリング７に固定されている。
【００３５】
引掛けシーリング７は、部屋の天井に着脱自在に固定されている。アダプタ６は、引掛けシーリング７の爪部に係止して固定されている。アダプタ６には、器具本体２がビス止めなどにより取り付けられている。
【００３６】
器具本体２は、略円盤状のシャーシ８と複数の蛍光ランプ３取り付け用のホルダー９と点灯回路１６(図４参照)などから構成されている。
【００３７】
ホルダー９には、蛍光ランプ３が取り付けられている。
シャーシ８の中央部、つまり器具本体２の中央部にはＬＥＤ点灯ユニット４を装着するための凹部１０が設けられている。シャーシ８の下面側には、点灯回路１６を収容した点灯回路収容部２ａが同心的に固定されている。
【００３８】
点灯回路収容部２ａの下面には、シャーシ８の中心からほぼ等距離でかつ所定間隔を隔ててホルダー９が環状に配設されている。
【００３９】
凹部１０の近傍には、リモコン受光部１１が設けられている。リモコン受光部１１は、リモコン２０から発行された赤外線通信の動作コマンドを受信する。動作コマンドは、例えば照明の点消灯、調光、昇降などを行うためのコマンドである。
【００４０】
セード５は、点灯回路収容部２ａの下面側に蛍光ランプ３を覆うように取付けられている。セード５の中央部には、ＬＥＤ点灯ユニット４のランプ部１３を通すための孔５ａが穿設されている。
ＬＥＤ点灯ユニット４は、この孔５ａを通じてセード５よりわずかに突出するようにシャーシ８から吊り下げられて凹部１０の位置に装着される。
【００４１】
ＬＥＤ点灯ユニット４は、図３に示すように、略円筒状の筐体１２とこの筐体１２に嵌合し脱着可能に取付けられるランプ部１３とを有している。ランプ部１３の下面側には、補助光源部１４が挿設されている。
【００４２】
ＬＥＤ点灯ユニット４の筐体１２の内部及びランプ部１３の内部には、図４に示すように、商用電源に接続された感震検知動作を行う感震センサ１５と、ランプ部１３の補助光源部１４を点灯させる点灯回路１６と、充電回路１８と、この充電回路１８からの電源供給により充電される二次電池１９とスイッチ３９と、ランプ部１３を昇降する昇降機構４０の一部が収容されている。
【００４３】
昇降機構４０は、モータ４１、巻き取り部４２、吊り下げ部材４３、着脱機構としてのジョンイント部４４などを有している。
【００４４】
モータ４１は、点灯回路１６により制御されて、回転軸４１ａの回転方向が変えられる。巻き取り部４２は、モータ４１の回転軸４１ａに支持された、例えばリールのようなものであり、吊り下げ部材４３の一端が固着されている。
【００４５】
すなわち、モータ４１が駆動されることで巻き取り部４２が吊り下げ部材４３を巻上げ及び巻き下げるので、ランプ部１３が昇降される。
【００４６】
吊り下げ部材４３は、商用電源を二次電池１９へ供給する電源供給線及び点灯回路１６からの制御信号を伝達するための信号線などを備えた集合ケーブルであり、そのケーブルの一端が巻き取り部４２に固着され、他端は器具本体２の所定の個所に固着されている。
【００４７】
また、吊り下げ部材４３の、ＬＥＤ点灯ユニット４の近傍の側には、ジョイント部４４が設けられている。
【００４８】
ジョンイント部４４は、ランプ部１３を吊り下げ部材４３より取外してランプ部１３を持運べるようにするものであり、係止機能と電源供給機能を併せ持つように、オスコネクタ４４ａ及びメスコネクタ４４ｂにより構成されている。係止機能の一部に磁石等を用いてもよい。ジョイント部４４は、緊急時に容易に取り外せるようコネクタ４４ａ、４４ｂで構成したが、磁石などを利用してもよい。
【００４９】
なお、この実施例ではジョイント部４４にオスコネクタ４４ａとメスコネクタ４４ｂを用いたが、吊り下げ部材４３とランプ部１３とを着脱自在にできる機構ならば、これ以外の機構でもよく、特に機構には限定されず、例えばバックルなどを用いることができる。
【００５０】
感震センサ１５は、地震の振動を検知して検知信号を点灯回路１６へ出力する。
【００５１】
点灯回路１６は、感震センサ１５から検知信号を受信してスイッチ３９をオンにする。
【００５２】
スイッチ３９は、点灯回路１６からの制御信号によりオンし、二次電池１９の電力を補助光源部１４に供給する。補助光源部１４は、電力の供給により点灯する。
【００５３】
また点灯回路１６は、モータ４１を駆動させＬＥＤ点灯ユニット４のランプ部１３を降下させる。点灯回路１６は、シャーシ８に設置されているリモコン受光部１１と配線により接続されている。
【００５４】
すなわち、点灯回路１６は、感震センサ１５の動作時または停電時に二次電池１９の電力をランプ部１３に給電して補助光源部１４を点灯させる制御部として機能する。
【００５５】
なお、この実施例では、昇降機構４０の一部をＬＥＤ点灯ユニット４の筐体１２内に設けたがこの位置以外に、例えば器具本体２側に設けてもよい。
【００５６】
ＬＥＤ点灯ユニット４は、地震発生時または停電時には非常灯として点灯されるが、常時は常夜灯として使用してもよい。またＬＥＤ点灯ユニット４は、部屋の雰囲気を演出するスポットライトとしても使用してもよい。
【００５７】
また、ＬＥＤ点灯ユニット４は、調光制御することで光の強弱のみではなく色も使用者の好みに応じて変更できる。
【００５８】
リモコン２０は、蛍光ランプ３、ＬＥＤ点灯ユニット４の入切及び吊り下げ部材４３の昇降の各種操作を行うためのものである。
【００５９】
リモコン２０は、図５に示すように、外形が矩形状をなしており、操作面２１を有している。操作面２１には、現在の設定を表示する表示窓２２と、各種操作用の釦が配設されている。
【００６０】
釦は、蛍光ランプ３を入切させるための主電源釦２３、ＬＥＤ点灯ユニット４を入切させるための補助電源釦２４、昇降機構４０作動時にランプ部１３が降下を終える高さを調整する高さ調整釦２５、ランプ部１３が降下する早さを調整する速さ調整釦２６,２６、震度が一定以上の強さになった時のみ昇降装置が駆動するような設定が可能な震度調整釦２７などである。
【００６１】
また、リモコン２０の表示窓２２近傍には赤外線を発光する送信窓２８が配設されている。この送信窓２８から発信された赤外線のコマンドが、器具本体２に設けられたリモコン受光部１１で受光される。
【００６２】
なお、リモコン２０の形状、機能はこの実施例に限定されるものではなく、少なくとも主光源の入切釦及び高さ調整釦２５が配設されていれば、任意の形状、機能を持たせることができる。
【００６３】
ここで、図４及び図６を参照して感震時のランプ部１３の降下動作を説明する。
図６に示すように、ＬＥＤ点灯ユニット４の筐体１２に内蔵された感震センサ１５が地震を検知すると、検知信号が点灯回路１６に入力される。
【００６４】
検知信号の入力により点灯回路１６は、モータ４１を駆動させて吊り下げ部材４３を巻き下げ、結果的に吊り下げ部材４３の一端にジョイント部４４を介在させて取付けられているランプ部１３を降下させる。
【００６５】
常時及び降下時にジョイント部４４が結合されていれば、器具本体２からの電源が電源供給線を通じてＬＥＤ点灯ユニット４の感震センサ１５、点灯回路１６及びモータ４１に供給されるが、降下動作により所定の位置まで降下したランプ部１３が人によって取り外されると、ランプ部１３への電源供給が停止されるが、ランプ部１３内部に設けられた二次電池１９からの電源供給によりランプ部１３の点灯が継続される。
【００６６】
したがって、地震発生時に部屋の照明が消えることなく、避難者は、ランプ部１３を持って、行く先を照らしつつ非難することができる。
【００６７】
このように第１実施例の点灯器具１によれば、感震センサ１５が地震を検知した際、ＬＥＤ点灯ユニット４に装着されたランプ部１３が点灯し部屋を照明できる。また、点灯回路１６が昇降機構４０を駆動させランプ部１３を避難者の手の届く位置まで降下させるので避難者の任意の場所を照明できる。
【００６８】
ジョイント部４４を設けたことで、器具本体２と、降下したランプ部１３とはジョイント部４４から取外し可能なので、避難者は、降下したランプ部１３を取外してランプ部１３を持ち運ぶことができ、行く先を照らしながら安全に避難することができる。
【００６９】
次に、図７乃至図９を参照して第２実施例の点灯器具１について説明する。
〔第２実施例〕
この第２実施例の点灯器具１は、第１実施例のＬＥＤ点灯ユニット４の構造を変形させた変形例である。
【００７０】
すなわち、図７及び図８に示すように、ＬＥＤ点灯ユニット２９は、筐体３０とランプ部３１ａとランプ部３１ｂとから構成されている。
【００７１】
ランプ部３１ａは、筐体３０の内側に嵌合するように装着されている。ランプ部３１ａは、筐体３０内に設置されている昇降機構４０（図９参照）及び吊り下げ部材４３により昇降可能とされ、筐体３０から着脱自在である。
【００７２】
ランプ部３１ｂは、筐体３０下面縁部に突設される突設片３１ｃと、この突設片３１ｃ下面に設けられるＬＥＤなどの補助光源部３４とから構成されている。
【００７３】
補助光源部３４は、照明方向を下方に向けて設けられており、昇降機構４０の動作時にランプ部３１ａを上方より照明可能である。
【００７４】
図９に示すように、筐体３０には、感震センサ１５、点灯回路１６、充電回路１８、昇降機構４０の一部が収容されている。ランプ部３１ａには、二次電池３５、スイッチ３７、ＬＥＤなどの補助光源部３３が設けられている。ランプ部３１ｂには、二次電池３６、スイッチ３８、補助光源部３４が設けられている。
【００７５】
二次電池３５は、充電回路１８から供給された電源により充電される。スイッチ３７は、点灯回路１６からの制御信号によりオンし、二次電池３５の電力を補助光源部３３に供給する。補助光源部３３は、電力の供給により点灯する。
【００７６】
二次電池３６は、充電回路１８から供給された電源により充電される。スイッチ３８は、点灯回路１６からの制御信号によりオンし、二次電池３６の電力を補助光源部３４に供給する。補助光源部３４は、電力の供給により点灯する。
【００７７】
昇降機構４０は、点灯回路１６からの制御によりモータ４１を駆動して吊り下げ部材４３を巻き下げまたは巻き上げてランプ部３１ａを昇降させる。感震検知時に点灯回路１６は、それまでの点灯状態にかかわらずランプ部３１ａ，３１ｂを点灯させるとともに、モータ４１を駆動して吊り下げ部材４３を巻き下げてランプ部３１ａを所定の位置（高さ）まで降下させる。
【００７８】
器具そのものの構造は、第１実施例と同じであり、図４と対応する構成に同一符号を付して重複する説明を省略する。
【００７９】
なお、この実施例ではランプ部３１ｂを筐体３０下面縁部に設けたが、ランプ部３１ｂの設置個所は限定されるものではなく、ランプ部３１ａの降下時にランプ部３１ａを上方より照明可能ならば任意の個所に設置できる。
【００８０】
第２実施例の点灯器具の場合、昇降機構４０が動作したときには、ランプ部３１ｂは、筐体３０に固定されて下方を照明し、ランプ部３１ａが下降または上昇される。例えば地震検知時には、ランプ部３１ｂは、照明器具の下方を照明する補助光源として機能し、ランプ部３１ａは、降下されて、人によって取り外されることで、任意の個所を照明する光源として機能する。
【００８１】
このように第２実施例の点灯器具によれば、感震センサ１５が地震を検知した際、２つのランプ部３１ａ，３１ｂが同時に点灯し、ランプ部３１ａのみが降下して取り外せるので、２つのランプ部３１ａ，３１ｂを別々の用途で利用することができる。
【００８２】
地震検知によりランプ部３１ａが所定位置、例えば避難者の手の届く位置まで降下されても、ランプ部３１ｂは、天井にある器具本体２に固定されたままの位置で下方を照明する。すなわち避難者が暗闇でもランプ部３１ａの位置を容易に確認できるので降下されたランプ部３１ａに誤ってぶつかってしまうことが無い。
【００８３】
さらに、ランプ部３１ａを携帯する際、避難者はランプ部３１ｂの照明によって手元が明るい状態でランプ部３１ａを昇降装置より取り外すことができる。
すなわちランプ部３１ａを迅速に携帯して安全に避難することができる。
【図面の簡単な説明】
【００８４】
【図１】本発明の第１実施例の照明器具の分解斜視図。
【図２】図１の照明器具を一部透視して示す平面図。
【図３】第１実施例のＬＥＤ点灯ユニットを下方より見た斜視図。
【図４】第１実施例のＬＥＤ点灯ユニットの内部構成を示すブロック図。
【図５】リモコンの一例を示す平面図。
【図６】第１実施例のＬＥＤ点灯ユニット降下時の状態を一部透視して示す平面図。
【図７】第２実施例のＬＥＤ点灯ユニットを下方より見た斜視図。
【図８】第２実施例のＬＥＤ点灯ユニットの降下時の状態を下方より見た斜視図。
【図９】第２実施例のＬＥＤ点灯ユニットの内部構成を示すブロック図。
【符号の説明】
【００８５】
１…照明器具、２…器具本体、２ａ…点灯回路収容部、３…蛍光ランプ、４…ＬＥＤ点灯ユニット、５…セード、５ａ…孔、６…アダプタ、７…引掛けシーリング、８…シャーシ、９…ホルダー、１０…凹部、１１…リモコン受光部、１２…筐体、１３…ランプ部、１４，３３，３４…補助光源部（ＬＥＤ）、１５…感震センサ、１６…点灯回路、１８…充電回路、１９，３５，３６…二次電池、４０…昇降機構、４１…モータ、４２…巻き取り部、４３…吊り下げ部材、４４…ジョンイント部、４４ａ…オスコネクタ、４４ｂ…メスコネクタ、２０…リモコン、２１…操作面、２２…表示窓、２３…主電源釦、２４…補助電源釦、２５…高さ調整釦、２６,２６…速さ調整釦、２７…震度調整釦、２８…送信窓、２９…ＬＥＤ点灯ユニット、３０…筐体、３１ａ，３１ｂ…ランプ部、３１ｃ…突設片、３７，３８，３９…スイッチ。
【図１】
2007287500.tif 000003
【図２】
2007287500.tif 000004
【図３】
2007287500.tif 000005
【図４】
2007287500.tif 000006
【図５】
2007287500.tif 000007
【図６】
2007287500.tif 000008
【図７】
2007287500.tif 000009
【図８】
2007287500.tif 000010
【図９】
2007287500.tif 000011